(57)【要約】【課題】本発明は、ワニス垂れを抑制するようにしたモータ用ワニス処理装置を提供する。【解決手段】モータ用ワニス処理装置においては、ワニス供給手段１３によってコイル４の一方のコイルエンド部７の上方からワニスＷを供給すると、コイル４の隙間を伝ってワニスＷが流下する。そして、他方のコイルエンド部８からワニスＷが排出されるが、このとき、ワニスストッパ面１２ａによってワニス垂れＤが抑制されるので、コイルエンド部７，８とワニスストッパ面１２ａまでの隙間Ｓを、ワニス垂れＤの長さＣ２に設定することができる。その結果、コイルエンド部８から必要以上にワニスＷが垂れて固まることがなく、ステータ１の回転軸線Ｌ方向で、寸法を規格内に納めることができる。【選択図】図６
2016163429.tif 000002
【特許請求の範囲】
【請求項１】
リング状のステータコアにコイルが装着された状態で、前記コイルの表面にワニスを塗布して表面処理を行うためのモータ用ワニス処理装置であって、
前記ステータコアを下から支持する保持手段と、
コイルエンド部から垂れて硬化するワニスがステータコアの組み付けに影響しない程度に前記コイルのコイルエンド部の下端から下方に離間して配置されたワニスストッパ面を有するワニス受け部と、
前記コイルに上方からワニスを供給するワニス供給手段と、を備えた、
モータ用ワニス処理装置。
【発明の詳細な説明】
【技術分野】
【０００１】
本発明は、ステータコアに装着されたコイルにワニスを塗布するためのモータ用ワニス処理装置に関するものである。
【背景技術】
【０００２】
従来において、このような分野に関連する技術として、特開２００８−１０９７３２号公報がある。この公報に記載されたモータのステータは、ステータコアにコイルが巻回されたものである。このコイルには、上方からワニスが滴下され、コイルの表面にワニスを行き渡らせるようにしている。上から滴下された余剰なワニスは、コイルの下から滴のように垂れて、氷柱のような形状で固まる。特に、ハイブリッド自動車や電気自動車のモータは、高温下や振動下で利用されるので、コイルに損傷を及ぼし易いので、ワニスの塗布が有効である。
【先行技術文献】
【特許文献】
【０００３】
【特許文献１】特開２００８−１０９７３２号公報
【発明の概要】
【発明が解決しようとする課題】
【０００４】
しかしながら、従来のようにコイルをワニス処理すると、余剰なワニスは、コイルの下から滴のように垂れて氷柱のような形状で固まる。このようなステータを所定形状のハウジング内に収容させる場合に、ワニス垂れによりハウジング内にステータを適切に固定することができない虞がある。
【０００５】
本発明は、コイルエンドから垂れたワニスが氷柱のように固まってその後のステータの組み付けに影響することがないよう、ワニス垂れの長さを抑制するようにしたモータ用ワニス処理装置を提供することを目的とする。
【課題を解決するための手段】
【０００６】
本発明は、リング状のステータコアにコイルが装着された状態で、前記コイルの表面にワニスを塗布して表面処理を行うためのモータ用ワニス処理装置であって、
前記ステータコアを下から支持する保持手段と、
コイルエンド部から垂れて硬化するワニスがステータコアの組み付けに影響しない程度に前記コイルのコイルエンド部の下端から下方に離間して配置されたワニスストッパ面を有するワニス受け部と、
前記コイルに上方からワニスを供給するワニス供給手段と、を備える。
【０００７】
このモータ用ワニス処理装置においては、ワニス供給手段によってコイルの一方のコイルエンド部の上方からワニスを供給すると、コイルの隙間を伝ってワニスが流下する。そして、他方のコイルエンド部からワニスが排出されるが、このとき、ワニスストッパ面によってワニスの垂れが抑制されるので、コイルエンド部とワニスストッパ面までの隙間を、コイルエンド部から垂れて硬化するワニスがステータコアの組み付けに影響しない程度にワニス垂れの長さに設定する。その結果、コイルエンド部から必要以上にワニスが垂れて、固まることがなく、回転軸線方向でステータの寸法を規格内に納めることができる。
【０００８】
また、本発明の好ましい形態に関し、前記コイルエンド部は、前記ステータコアの両端面より外方に露出させられた第１のコイルエンド部と第２のコイルエンド部からなり、
前記保持手段は、
前記第１のコイルエンド部が下側で前記第２のコイルエンド部が上側の場合に、前記ステータコアの一方の第１の端面を下から支持する第１の載置部と、
前記第１のコイルエンド部が上側で前記第２のコイルエンド部が下側の場合に、前記ステータコアの他方の第２の端面を下から支持する第２の載置部と、を有し、
前記ワニス受け手段の前記ワニスストッパ面は、前記保持手段より内側に位置している。
このような構成は、回転軸線方向において、第１のコイルエンド部と第２のコイルエンド部との露出長さが異なる場合に好適である。
【０００９】
また、好ましい発明の形態に関し、先の形態において前記ステータコアの前記第１の端面から前記第１のコイルエンド部の端面までの距離と、前記ステータコアの前記第２の端面から前記第２のコイルエンド部の端面までの距離との差分は、前記第１の載置部の高さと前記第２の載置部の高さとの差分と同じである。
このような構成を採用すると、第１のコイルエンド部から垂れて固まるワニス垂れの長さと、第２のコイルエンド部から垂れて固まるワニス垂れの長さとを同一にすることができる。
【００１０】
また、本発明のさらに別の形態では先の２つの形態において、前記ステータコアの外周から径方向に突出する耳部は、前記ステータコアの周方向に等間隔で複数個配置され、前記第１の載置部と前記第２の載置部は、周方向で交互に配置されると共に、前記耳部の周方向の一ピッチの長さの半分のピッチの長さで配列されている。
このような構成を採用すると、ステータコアに設けられた耳部を有効に活用することができる。
【発明の効果】
【００１１】
本発明によれば、コイルエンドからのワニス垂れの長さを抑制することができる。
【図面の簡単な説明】
【００１２】
【図１】本発明に係るモータ用ワニス処理装置が適用されるステータを示す斜視図である。
【図２】本発明に係るモータ用ワニス処理装置を示す斜視図である。
【図３】ワニス処理装置の第１の載置部上にステータコアを配置した状態を示す正面図である。
【図４】図３の平面図である。
【図５】ワニス垂れがワニスストッパ面によって抑制された状態を示す断面図である。
【図６】ワニス処理装置の第２の載置部上にステータコアを配置した状態を示す正面図である。
【図７】図６の平面図である。
【図８】ワニス垂れがワニスストッパ面によって抑制された状態を示す断面図である。
【発明を実施するための形態】
【００１３】
以下、図面を参照しつつ本発明に係るモータ用ワニス処理装置の好適な実施形態について詳細に説明する。
【００１４】
図１に示されるように、モータに利用されるステータ１は、薄板からなる鉄心片を積層してなるリング状のステータコア２と、ステータコア２の内周側から中心に向かって径方向に突出して周方向に整列させられたティース部（不図示）と、ティース部間のスリット内に挿入されてステータコア２に装着されるセグメントコイルと、多数のセグメントコイルが環状に配列されてなるコイル４と、コイル４から導出される３本のリード５（図４参照）と、を備えている。
【００１５】
ステータ１は、ステータコア２のリング状の第１の端面２ａよりステータコア２の軸方向外方に突出している第１のコイルエンド部７と、ステータコア２で第１の端面２ａとは反対側に形成されたリング状の第２の端面２ｂよりステータコア２の軸方向外方に突出している第２のコイルエンド部８と、を有している。さらに、ステータコア２には、この外周面上で径方向に突出する耳部（肉厚部分）９が設けられ、耳部９は周方向に等間隔で複数個（例えば３個）設けられている。各耳部９には、ボルトを挿入するためのボルト挿入孔９ａが形成されている。そして、このような構成を有するステータ１のコイル４にはワニスＷが塗布されている。
【００１６】
次に、このワニスＷをステータコア２にセットされたコイル４の表面に滴下してコイル４にワニスＷを含浸させるためのワニス処理装置について説明する。なお、ワニスＷがコイル４に塗布される前にステータ１は予熱され、コイル４にワニスＷを塗布した後、ステータ１を再加熱させて、ワニスＷを完全に固化させる。
【００１７】
図２に示されるように、ワニス処理装置は、リング状のステータコア２をステータコアの軸を鉛直方向に一致させた姿勢で下から支持する保持具１０と、支持されたコイル４の第１のコイルエンド部７の下端７ａ又は第２のコイルエンド部８の下端８ａから下方に所定距離離間して配置されたリング状のワニスストッパ面１２ａを有するワニス受け部１２と、コイル４に上方からワニスＷを滴下するためのワニス供給装置１３と、を備えている。ワニスストッパ面１２ａとコイルエンド部の下端（７ａまたは８ａ）との隙間は、滴下したワニスＷがコイルエンド部から垂れて氷柱状に固まって組み付けに影響がでない程度に狭くするのが良い。この隙間をなくしてしまうと余分なワニスの排出性に影響がでるので隙間を設ける方が好ましい。ワニス供給装置１３の先端にはノズル１３ａが設けられ、圧送ポンプによりノズル１３ａまで圧送されたワニスＷが雨滴状に落下するようになっている。
【００１８】
保持具１０は、図３に示されるように、第１のコイルエンド部７が下側で第２のコイルエンド部８が上側の場合に、ステータコア２のリング状の第１の端面２ａを下から支持する第１の載置部１４，１５，１６と、図６に示されるように、第１のコイルエンド部７が上側で第２のコイルエンド部８が下側の場合に、ステータコア２のリング状の第２の端面２ｂを下から支持する第２の載置部２４，２５，２６との２つの組の載置部を有している。また、ワニス受け部１２のワニスストッパ面１２ａは、各載置部１４，１５，１６，２４，２５，２６の内側に収まる大きさとされている。
【００１９】
第１の載置部１４，１５，１６は、図示しないベース上に固定されると共に、ステータコア２の耳部９の位置に対応して、周方向に１２０度の位相角をもって配置されている。第１の載置部１４，１５は、直方体形状を有し、第１の載置部１６は、半円柱形状をなしており、第１の載置部１４，１５，１６は同じ高さに設定されている。第１の載置部１６のみが半円柱状であり、細長くなっているのは、リード５が第１の載置部１６に接触するのを回避するためである。
【００２０】
同様に、第２の載置部２４，２５，２６は、図示しないベースに固定されると共に、ステータコア２の耳部９の位置に対応して、周方向に１２０度の位相角をもって配置されている。第２の載置部２４，２５は、直方体形状を有し、第２の載置部２６は、半円柱形状をなしており、第２の載置部２４，２５，２６は同じ高さに設定されている。第２の載置部２６のみが半円柱状であり、細長くなっているのは、リード５が第１の載置部２６に接触するのを回避するためである。
【００２１】
第１の載置部１４，１５，１６と第２の載置部２４，２５，２６との配置関係は、それぞれの載置部１４，１５，１６，２４，２５，２６が円周方向に６０度づつの位相で配置されて、図４に示されるような並びになっている。
【００２２】
ステータコア２の外周面で径方向外側に突出する耳部９は、ステータコア２の周方向に等間隔で３個配置されている。これに合わせて第１の載置部１４，１５，１６と第２の載置部２４，２５，２６は、図４に示されるように周方向でそれぞれ交互に配置されると共に、周方向において、耳部９の一ピッチの長さの半分のピッチの長さをもって配列させられている。このような構成であるのでステータコアを第１端面２ａ、第２反面２ｂのどちらを下にして保持具１０にセットしてもステータコア２に設けられた各耳部９は第１の載置部１４，１５，１６の組か第２の載置部２４，２５，２６上に、選択的に置くことができる。
【００２３】
第１の載置部１４の上面１４ａは長方形を有する。この上面１４ａには、耳部９を当接させて位置決めさせるための２本の位置決めピン１４ｂが立設されている。第１の載置部１５の上面１５ａは長方形を有する。この上面１５ａには、耳部９を当接させて位置決めさせるための２本の位置決めピン１５ｂが立設されている。同様に第２の載置部２４の上面２４ａ、第２の載置部２５の上面２５ａは、長方形を有し、それぞれには耳部９を当接させて位置決めさせるための２本の位置決めピン２４ｂ、２５ｂが立設されている。なお、第１及び第２の載置部１６，２６の上面１６ａ，２６ａの形状は半円形となっている。
【００２４】
図２及び図３に示されるように、ステータコア２の第１の端面２ａから第１のコイルエンド部７の端面７ａまでの距離Ａ１と、ステータコア２の第２の端面２ｂから第２のコイルエンド部８の端面８ａまでの距離Ａ２との差分は、第１の載置部１４，１５，１６の高さＢ１と第２の載置部２４，２５，２６の高さＢ２との差分と同じである。このような構成は、回転軸線Ｌ方向において、第１のコイルエンド部７と第２のコイルエンド部８との露出長さが異なる場合に好適である。そして、第１のコイルエンド部７から垂れるワニスＷの長さＣ１（図５参照）と、第２のコイルエンド部８から垂れるワニスＷの長さＣ２（図８参照）とを同一にすることができる。
【００２５】
図３〜図５に示されるように、第１のコイルエンド部７を下側にし、第２のコイルエンド部８を上側にした状態で、ステータコア２の耳部９を第１の載置部１４，１５，１６の上面１４ａ，１５ａ，１６ａに載せる。このとき、耳部９は、位置決めピン１４ｂ，１５ｂによって水平面上で外方から支持される。この状態で、ステータ１を、第１の載置部１４，１５，１６上に安定させる。その後、ノズル１３ａ（図２参照）をコイル４の形状に沿って円周方向に移動させながらノズル１３ａからワニスＷを滴下させ、第２のコイルエンド部８にワニスＷを含浸させる。
【００２６】
このとき、ワニスＷはコイル４の隙間を伝って下に流れるが、コイル４の内径側は空洞になっているので、コイル４の内径側を伝ってワニスＷは流れ易い。よって、ワニス垂れＤは、コイル４の内径側で発生する。これに対して、コイル４の外径側はステータコア２で囲まれているので、ワニスＷが流れ難く、ワニス垂れＤはコイル４の外径側で発生し難い。
【００２７】
このような現象を考慮して、図５に示されるように、ワニス受け部１２のリング状のワニスストッパ面１２ａは、コイル４の第１のコイルエンド部７の内径側に寄せて配置されている。なお、ワニス受け部１２が無い場合、第１のコイルエンド部７で氷柱のような長いワニス垂れが発生してしまう。ワニス受け部１２にはワニスストッパ面１２ａから径方向外側へ向かって下方へ傾斜する面が設けられているので、余分なワニスＷはこの傾斜を伝って排出される。
【００２８】
図６〜図８に示されるように、第１のコイルエンド部７を上側にし、第２のコイルエンド部８を下側にした状態で、ステータコア２の耳部９を第２の載置部２４，２５，２６の上面２４ａ，２５ａ，２６ａに載せる。このとき、耳部９は、位置決めピン２４ｂ，２５ｂによって水平方向で外方から支持される。この状態で、ステータ１を、第２の載置部２４，２５，２６上に安定させる。その後、ノズル１３ａ（図２参照）をコイル４の形状に沿って円周方向に移動させながらノズル１３ａからワニスＷを滴下させ、第１のコイルエンド部７にワニスＷを含浸させる。
【００２９】
このとき、ワニスＷはコイル４の隙間を伝って下に流れるが、コイル４の内径側を伝ってワニスＷは流れ易い。よって、ワニス垂れＤは、コイル４の内径側で発生する。これに対して、コイル４の外径側は、ワニスＷが流れ難く、ワニス垂れＤはコイル４の外径側で発生し難い。
【００３０】
このような現象を考慮して、図８に示されるように、ワニス受け部１２のリング状のワニスストッパ面１２ａは、コイル４の第２のコイルエンド部８の内径側に寄せて配置されている。なお、ワニス受け部１２が無い場合、第２のコイルエンド部８に氷柱のような長いワニス垂れが発生してしまう。ワニス受け部１２にはワニスストッパ面１２ａから径方向外側へ向かって下方へ傾斜する面が設けられているので、余分なワニスＷはこの傾斜を伝って排出される。
【００３１】
このモータ用ワニス処理装置においては、ワニス供給装置１３によってコイル４の一方のコイルエンド部７の上方からワニスＷを供給すると、コイル４の隙間を伝ってワニスＷが流下する。そして、他方のコイルエンド部８からワニスＷが排出されるが、このとき、ワニスストッパ面１２ａによってワニス垂れＤ（図８参照）が抑制されるので、コイルエンド部８とワニスストッパ面１２ａまでの隙間Ｓ（図８参照）を、ワニス垂れＤの長さＣ２に設定することができる。また、コイルエンド部７が下になるように、ワニス処理装置にステータ１をセットすると、コイルエンド部７からワニスＷが排出されるが、ワニスストッパ面１２ａによってワニス垂れＤ（図５参照）が抑制される。その結果、コイルエンド部７，８から必要以上にワニスＷが垂れて固まることがなく、回転軸線Ｌ方向で、ステータ１の寸法を規格内に納めることができる。
【００３２】
本発明は、前述した実施形態に限定されず、本発明の要旨を逸脱しない範囲で、下記のような種々の変形が可能である。
【００３３】
例えば、保持具１０は、耳部９を利用せずに、ステータコア２のリング状の端面２ａ，２ｂを利用してもよい。
【符号の説明】
【００３４】
１…ステータ  ２…ステータコア  ２ａ…ステータコアの第１の端面  ２ｂ…ステータコアの第２の端面  ４…コイル  ７…第１のコイルエンド部  ７ａ…第１のコイルエンド部の端面  ８…第２のコイルエンド部  ８ａ…第２のコイルエンド部の端面  ９…耳部  １０…保持具  １２…ワニス受け部  １２ａ…ワニスストッパ面  １４，１５，１６…第１の載置部  ２４，２５，２６…第２の載置部  Ｄ…ワニス垂れ、Ｗ…ワニス  Ｌ…回転軸線
【図１】
2016163429.tif 000003
【図２】
2016163429.tif 000004
【図３】
2016163429.tif 000005
【図４】
2016163429.tif 000006
【図５】
2016163429.tif 000007
【図６】
2016163429.tif 000008
【図７】
2016163429.tif 000009
【図８】
2016163429.tif 000010